(57)【要約】【課題】  ゴルフシャフトの内部に挿入・固定する調整体の位置を正確に調整してボールの飛距離を伸ばし、方向性を正確にできるゴルフクラブを提供する。【解決手段】  ゴルフクラブシャフト１の長さＬの略中央部の内部に、筒状の調整体５を挿入・固定しており、この調整体５は両端より長手方向のスリット６，７が中央をこえて切込まれ、先端部が互いに重なるように延長され、且つ一方の端部５ｂより略中央部にかけてネジ溝９が形成され、このネジ溝９よってシャフト１内で回転によって前進・後退が可能になっているゴルフクラブ。【選択図】図１
2008148792.tif 000002
【特許請求の範囲】
【請求項１】
ゴルフクラブシャフトの長さの略中央部の内部に、筒状の調整体を挿入・固定しており、該調整体は両端より長手方向のスリットが中央をこえて切込まれ、先端部が互いに重なるように延長され、且つ一方の端部より略中央部にかけてネジ溝が形成され、該ネジ溝よって前記シャフト内で回転によって前進・後退が可能になっていることを特徴とするゴルフクラブ。
【請求項２】
前記筒状の調整体はアルミパイプあるいはアルミ合金製パイプまたはマグネシューム合金であり、前記スリットは各端面より４本が略同一間隔で切込まれていることを特徴とする請求項１記載のゴルフクラブ。
【請求項３】
前記筒状の調整体の長さは、前記シャフトの長さが４３〜４７インチの範囲で２５〜３０ミリ、３２〜４３インチの範囲で３０〜３５ミリであることを特徴とする請求項１記載のゴルフクラブ。
【請求項４】
ゴルフクラブシャフトの内部の該シャフトの長さの略中央部の内部に、筒状の調整体を挿入・固定しており、該調整体は両端より長手方向のスリットが中央をこえて切込まれ、先端部が互いに重なるように延長され、該調整体は全体として直径方向の変形が可能であり、且つ一方の端部より略中央部に向かってネジ溝が形成されており、該ネジ溝よって前記シャフト内で回転によって前進・後退が可能になっており、
更にグリップ側の内部にガイド筒と、その内部に挿入した重錘を前記ガイド筒の長さ方向に移動し、複数の場所で固定できるように構成したバランス重錘部を設けたことを特徴とするゴルフクラブ。
【請求項５】
前記重錘は、グリップの端面に設けられたマーカー用の孔より挿入される調整棒によってその位置を移動できるように構成されていることを特徴とする請求項４記載のゴルフクラブ。
【請求項６】
前記ガイド筒は、その長手方向に間隔をおいて複数個の係止部と該係止部と対面する側に前記重錘を案内するレールが形成され、前記重錘には中央から側面に向かって穿孔したガイド孔と、該ガイド孔に挿入されたコイルバネと、該コイルバネによって加圧されて一部が重錘の周面より弾性力で突出する係合部材が設けられていることを特徴とする請求項５に記載のゴルフクラブ。
【請求項７】
プレーヤーの打球に関する情報に合わせてゴルフクラブを仮選定する行程と、
前記ゴルフクラブのシャフトの長さの略中央部の外表面に仮調整体を固定する行程と、
前記仮調整体を固定したゴルフクラブを使用して前記プレーヤーに打球させてその飛行距離と方向のデータにより前記仮調整体の位置、更に仮調整体の長さを調整する行程と、
前記ゴルフクラブの外表面に固定した仮調整体の位置を目安として、正規の調整体を選定する行程と、
該選定した調整体をゴルフクラブのシャフト内に挿入・固定する行程とからなることを特徴とするゴルフクラブの調整方法。
【発明の詳細な説明】
【技術分野】
【０００１】
本発明は、ゴルフプレーヤーの体格、経験、技術などの条件に合わせた構造に調整されたゴルフクラブと、このゴルフクラブの調整方法に関する。
【背景技術】
【０００２】
ゴルフは、今や国民的なスポーツであり女性や若年層にまで裾野を広げてきている。しかも老若男女・技術レベルといった差があっても万人が同じフィールドで同時にプレーができる数少ないスポーツであり、戸外で行われる健康的なスポーツでもある。
【０００３】
ゴルフは、周知のようにティーグランドからフエアウエ−を経由してグリーンにあけたカップに至るまでのスルーザグリーンの間にラフ、バンカー、ウオーターハザードそしてＯＢなど各種の障害物が配置されている。そしてティグランドからプレーヤーが打った第１打のボールが狙った方向に、可能な限りの距離を飛行し、しかもフエアウエーの真ん中に着地し、更にランがある場合には、そのプレーヤーにとっては大きな快感と満足感を味わうことになる。
【０００４】
特に初心者や未熟なプレーヤーの場合、ボールが予想したコースから外れてＯＢラインとなったり、ラフやバンカー、あるいはブッシュの中や林の中に打ち込む予想外のトラブルショットを多く発生し、最初の数ホールが練習の状態となる。更に、後半のラウンドでは疲れが加わってスイングに大きな狂いが生じ、飛距離が伸びない上に方向性も悪くなり、プレーが終了して見ると日頃の練習成果を殆ど発揮することもなく、何時ものとおりのスコアとなることを経験している。
【０００５】
プレーヤーは、ボールの着地点を人より少しでも前へ、人より少しでも良いスコアを出したいとの際限のない願望から、ゴルフ用具は限りなく改良が繰り返されている。ゴルフ用具の内で最も重要なものとして、また買い換えられるものとしてドライバーがある。このドライバーを例にとてもヘッドの材質にアルミ合金からチタン合金を採用し、更にヘッドの形状に変更を加え、体積を可能な限り増加させている。これと同時にシャフトの材料に変更を加えるなどの方法が実施され、毎年のように際限もなく新製品が生み出されてきた。
【０００６】
前記ドライバーの各部の改善と共に、特にシャフトの「しなり」に変更を加えることによって飛距離を伸ばそうとする目的で各種の提案がなされている。古くは、日本公開実用新案昭和５３−１９４７６号公報）によって、「金属管製シャフトの少なくとも打球時のたわみの支点付近において、シャフト内に補強プラグを挿入固着したゴルフクラブシャフト」が提案されている。また、同公開実用新案昭和５３−１９４７７号公報によって、「金属管製シャフトの少なくとも打球時のたわみの支点付近に発泡ポリスチレンを充填したゴルフシャフト」が提案されている。
【０００７】
前記２件の特許文献に記載された考案は、打球時のたわみの支点付近に補強ブラグあるいは発泡ポリスチレンを充填したものであり、具体的にはグリップの近傍のシャフトの内部に、たわみを規制する部材を設けたものであると評価できる。しかし、実際にこのアイデアをカーボンシャフトに試して見ると、打球が伸びることも方向性を改善することもできなかった。
【０００８】
特に、打球の際の手に対する衝撃を軽減し、飛距離を伸ばすための発明として別の構造のものが提案されている（特許文献１参照）。
【特許文献１】特開２０００−６１０１４号公報
【発明の開示】
【発明が解決しようとする課題】
【０００９】
特許文献１には、シャフト内に、このシャフトの「しなり」に影響を与える筒状の「調整体」を挿入・固定したもので、この調整体は上下の筒口から複数の縦切り込みを、均一な隣接間隔で形成したものをシャフトの所定の位置に挿入したものであり、この調整体は別名で「関節」と称され、それなりの効果が確認されている。
【００１０】
一般の調整体は、シャフト内の適宜の場所に固定できる程度の外径を持つアルミパイプを使用し、その両端より各４本のスリットの位置を互いにずらして設けたものを使用し、これをゴルフクラブシャフトの内部に挿入・固定したものである。
【００１１】
従来技術においては、この調整体をカーボンシャフトの内部に無理やりに押し込み、止まった場所を固定位置としている。実際の調整体を固定する位置について飛距離と方向などから精査すると、１〜２ミリ程度の距離でも調整するとゴルフボールの飛距離が増加し、方向性にも変化が見られる。
【００１２】
しかし、従来の調整体の構造では、カーボンシャフト内に無理やりに押し込んで固定するものであるので、微妙を距離を移動してその固定位置を正確に調整することが困難である。現実には、１０年以上もゴルフを経験したシングルプレーヤーが多数の顧客の打法を観察した熟練した調整者によってほぼ調整されたものである。従って、この調整体をカーボンシャフトの最適な位置に固定するためにはかなりの熟練を必要とするものであった。
【００１３】
（特許文献１に記載されたゴルフクラブの性能）
特許文献１に記載されたゴルフクラブは、本発明者が経営する会社が出願人であり、従って、本発明者は、この文献に記載された構造の調整体（関節）をシャフト内に固定したものを製造し、販売しており、従って、このゴルフクラブの構造と性能を熟知している。
【００１４】
さて、図１０は、特許文献１に係る調整体を挿入したゴルフクラブを使用してハンデキャップがシングルのゴルフアー２０人による打球した際の複数枚の高速度写真を元に描いたゴルフクラブのスイングの位置とシャフトのしなりの状態を示すものであり、図１１は調整体を使用しない従来のゴルフクラブによるものを対比して示している。
【００１５】
図１１に示すように従来の調整体を使用しないゴルフクラブ５０を使用してシャフト５１の先端に固定したヘッド５２でボール５３を打球する時のシャフト５１のダウンスイングにおける、しなりの変化を示している。シャフト５１が位置Ａより位置Ｂ〜Ｃのダウンスイングより位置Ｃで打撃することになるが、この位置Ｃにおいてシャフト５１は、左側にやや反った状態でヘッド５２がボール５３をヒットしている。ボール５３はティーに載っている位置から５３ａの位置に飛球する間にシャフト５１は円弧を描きながら位置Ｃ〜Ｄ〜Ｅへと扇状にスイングされ、フオローアップ運動となる。
【００１６】
ところで、この図１１においては、シャフト５１は位置Ｃにおいてヘッド５２がやや下向きでボール５３をヒットしている。そしてボール５３をヒットした直後の位置Ｄにおいては矢印ｆで示すようにシャフト５１の中央から先端にかけて後方に反っており、更に位置Ｅではヘッド５２が上向きになるようにシャフト５１が曲がっている。
【００１７】
次に図１０に示すシャフト６１の長さの中間位置に調整体（関節Ｋ）を挿入したゴルフクラブ６０においては、位置Ａ’、Ｂ’は前記図ＢのＡ、Ｂに対応した形状を保持している。しかし、位置Ｃ’においてボール５３をヒットする位置では、ヘッド６２がやや上向き加減である。そしてボール５３をヒットした直後のシャフト６１は位置Ｄ’ではシャフト６１の略中央部がｆ’に示すように飛球と反対側に曲がってヘッド６２を上向きに保持し、そして位置Ｅ’においては前記Ｄ’の名残の形状を保持している。
【００１８】
（調整体Ｋの評価）
この調整体Ｋを使用したゴルフクラブ６０の場合は、飛距離がハンデキャップがシングルとシングルに近い５７人で平均して９．２％上昇することが確認されている。また、初速が４．９％増加し、上下打出角度が１２．２％減少するも確認されている。更に、左右の打出角度が２５％減少するデータがある。従って、調整体Ｋをシャフト６１内に固定することによって飛距離が伸び、更に方向性とコントロール性に優れていることが分かる。
【００１９】
換言すれば、この特許文献１に記載された、調整体Ｋを挿入・固定したシャフト６１を使用したゴルフクラブ６０（図６０）においては、通常の腕を持つゴルフアーの場合、ボールの飛距離が２０〜３０ヤードも長くなり、方向性がかなり改善されることが分かる。別の表現をすれば、シャフトの所定の位置に調整体（間接）を設けることによって、ゴルフに不慣れな、あるいは未熟なプレーヤーであっても、かなりスコアアップできることが確認されているのである。
【００２０】
（特許文献１に記載のゴルフクラブの欠点）
文献１（特開２０００−６１０１４号公報）に記載されている調整体４は、小径の筒体を使用し、その両端より中央部に向けて４本のスリット４２、４３を切り込んで筒体の強度を低下させ、外径を拡縮可能に形成することによってシャフトの内部の孔のテーパーに沿うように形成している。
【００２１】
しかし、多数のゴルフアーのドライバーを主体とするゴルフクラブを調整して見ると、調整体４の位置は、「０．２〜０．５ミリ単位」で位置決めすることによって最高の飛距離と方向性を得ることがわかった。このような高い精度でシャフトの中空部で調整体の位置を微妙に調整するには、調整体を単に押し込んだり、叩いたりするだけでは到底できないことである。当然のことであるが、少し押し込みすぎたものを０．２〜０．５ミリ単位で後退させることは不可能であった。
【００２２】
本発明は、前記従来技術によるゴルフクラブの欠点を解消し、ゴルフアー個人個人に合ったゴルフクラブを提供することを目的とするものである。
【課題を解決するための手段】
【００２３】
前記目的を達成するための本発明に係るゴルフクラブとその調整方法は次のように構成されている。
【００２４】
１）本発明に係るゴルフクラブは、ゴルフクラブシャフトの長さの略中央部の内部に、筒状の調整体を挿入・固定しており、該調整体は両端より長手方向のスリットが中央をこえて切込まれ、先端部が互いに重なるように延長され、且つ一方の端部より略中央部にかけてネジ溝が形成され、該ネジ溝よって前記シャフト内で回転によって前進・後退が可能になっていることを特徴としている。
【００２５】
２）前記筒状の補強部材はアルミパイプあるいはアルミ合金製パイプであり、前記スリットは各端面より４本が略同一間隔で切込まれていることを特徴としている。
【００２６】
３）前記筒状の調整体の長さは、前記シャフトの長さが４３〜４７インチの範囲で２５〜３０ミリ、３２〜４３インチの範囲で３０〜３５ミリであることを特徴としている。
【００２７】
４）ゴルフクラブシャフトの内部の該シャフトの長さの略中央部の内部に、筒状の調整体を挿入・固定しており、該調整体は両端より長手方向のスリットが中央をこえて切込まれ、先端部が互いに重なるように延長され、該調整体は全体として直径方向の変形が可能であり、且つ一方の端部より略中央部に向かってネジ溝が形成されており、該ネジ溝よって前記シャフト内で回転によって前進・後退が可能になっており、更にグリップ側の内部にガイド筒と、その内部に挿入した重錘を前記ガイド筒の長さ方向に移動し、複数の場所で固定できるように構成したバランス重錘部を設けたことを特徴としている。
【００２８】
５）前記重錘は、グリップの端面に設けられたマーカー用の孔より挿入されに調整棒によってその位置を移動できるように構成されていることを特徴としている。
【００２９】
６）前記ガイド筒は、その長手方向に間隔をおいて複数個の係止部と該係止部と対面する側に前記重錘を案内するレールが形成され、前記重錘には中央から側面に向かって穿孔したガイド孔と、該ガイド孔に挿入されたコイルバネと、該コイルバネによって加圧されて一部が重錘の周面より弾性力で突出する係合部材が設けられていることを特徴としている。
【００３０】
７）本発明に係るゴルフクラブの調整方法は、プレーヤの打球に関する情報に合わせてゴルフクラブを仮選定する行程と、
前記ゴルフクラブのシャフトの長さの略中央部の外表面に仮調整体を固定する行程と、
前記仮調整体を固定したゴルフクラブを使用して前記プレーヤーに打球させてその飛行距離と方向のデータにより前記仮調整体の位置、更に仮調整体の長さを調整する行程と、
前記ゴルフクラブの外表面に固定した仮調整体の位置を目安として、正規の調整体を選定する行程と、
該選定した調整体をゴルフクラブのシャフト内に挿入・固定する行程とからなることを特徴としている。
【発明の効果】
【００３１】
本発明によるゴルフクラブは、カーボンシャフトの内部の所定位置に、所定の構造の調整体を設けていることから、この調整体を挿入されている部分のカーボンシャフトの内面から拡大するような応力、つまり、プレストレスを作用させていることになり、このシャフトに発生している張力と、調整体の補強効果（突っ張り作用）によってシャフトのしなりに制約を与え、その結果、ボールを打球する際のヘッドの状態を調整し、更に、前記突っ張り作用でシャフトの一部の曲がりに制限を与えることができ、その結果、ボールの飛距離を伸ばし、また、ボールの飛行方向を正確に調整することができる。
【００３２】
しかも、前記調整体の位置決めには、０．２〜０．５ミリ単位で正確に前進させ、場合によっては後退させるような調整が可能であり、最適な条件に位置決めすることができる。
【発明を実施するための最良の形態】
【００３３】
（第１の実施の形態）
図１は、本発明の実施の形態に係るゴルフクラブ（ドライバー）の正面図であって、カーボンシャフト１とグリップ２とヘッド３（チタンヘッド）より構成されている。そしてシャフト１の全長Ｌの「規定距離Ｌ１」である「Ｘ」の位置に本発明に係る調整体５が内蔵されている。
【００３４】
図２は、調整体５の構造を示すもので、（Ａ）は正面図、（Ｂ）は上面図、（Ｃ）は下面図、（Ｄ）及び（Ｅ）は補強部材５の表面に形成した溝部の断面図をそれぞれ示している。
【００３５】
調整体５は、本体としてアルミパイプあるいはジュラルミンまたはマグネシューム合金製パイプを使用し、図（Ｂ）に示すように上端５ａより中央部を越えて４本の１ミリ幅のスリット６を切り込み、また、図（Ｂ）、（Ｃ）に示すように前記スリット６と４５度の位置を変えた位置に下端５ｂよりスリット７を切り込んでおり、両スリット６、７は調整体５の本体部分の中央部に「重なり部８」を形成している。従って、調整体５は全体として外径を変化させることが可能である。なお、調整体５の上端５ａと下端５ｂには小径の丸みが形成されてシャフト１内に押し込む際に内壁面に傷を付けないように配慮されている。
【００３６】
そして前記スリット７を横切るように案内溝９をネジ状に形成している。この案内溝９は図（Ｄ）に示すように角ネジ型の溝９ａとするか、あるいは図（Ｅ）に示すように角ネジ型溝（あるいは丸ネジ、三角ネジも可）の両縁に小突条９ｂを形成したものを使用している。角ネジ型の溝は断面に角部が形成されているので、シャフト１の孔の内壁面との食付きが良いので、ネジ作用によって正確な位置の調整ができる効果がある。また、図（Ｅ）に示すように小突条９ｂが形成されていると、更に食付きが良好となる。なお、言うまでもないが、案内溝９によってシャフト１のテーパー孔の内壁面が損傷してシャフト自体の曲げ強度を低下させるものであってはならない。
【００３７】
図３は、図２の補強部材５をカーボシャフト１の孔の内部の所定の位置（図１参照）に取り付けた状態を示しており、スリット７はシャフト１の孔１ａがテーパー状（直径で０．２°程度）に形成されているので、この調整体５をシャフト１の所定の位置に固定するためには外径の異なるものを多数準備しておくことが必要である。
【００３８】
調整体５の材料は、重量と強度との関係から、アルミあるいはアルミ合金を使用し、切削加工とカッタによるスリット加工を行い、更に必要に応じて表面にアルマイト加工を強度を向上させることができる。
【００３９】
調整体５の厚さは、１ミリを中心として０．１ミリ単位で切削加工により調整している。そしてこの調整体５の寸法（長さ）としては、シャフトの長さが４３〜４７インチの場合は長さは２５〜３０ミリ、シャフトの長さが３２〜４３インチの場合の長さは３０〜３５ミリに選定している。
【００４０】
図４（Ａ）は、別の形式の調整体５Ａを示す正面図であり、図２に描いた調整体５と比較すると、上端は４個の円弧片で形成されているが、その内の対面する２個の円弧片の上端５ｆを、他の上端５ｄより低く形成している。この上端５ｆを隣接する上端５ｄより低くすることによって図５に示す回転具１２の先端の係合部１３に係合させて調整体５Ａをボルトを回転するように回転させて前進・後退することができる。なお、回転具１２の先端にはガイド部１４を設けて補強具５Ａに簡単に係合できるようにしている。
【００４１】
図４（Ｃ）及び（Ｄ）は、調整体５Ａの下部がシャフト１の内壁面に押圧されて縮径し、スリット７ａが図（Ａ）より狭くなってシャフト１の内壁面を押圧してシャフト１を膨張するように張力を発生させた状態を示している。
【００４２】
図６は、図３に示した調整体５を回転させるための回転具１５を示しており、先端にはドライバ片１６が十字形に形成されている。なお、このドライバ片１６は必ずしも十字形でなく、一文字形あるいはこれに近い形のものであっても良い。
【００４３】
図７は調整体５、５Ａをシャフト１の中から引き出す工具１８を示しており、先端にＬ形の引っかけ部１９が形成されており、補強部材５、５Ａの内部を通して下端に引っかけて取り出し、別のものと交換することができる。
【００４４】
（調整体の取り付け方法）
調整体５、５Ａをシャフト１の所定の位置に正確に固定することは重要であり、この調整体を取り付る際には次の手順を行なっている。
【００４５】
−第１行程−
カーボンシャフト（あるいはスティールシャフト）の一端にヘッドを、他端にグリップを設けたゴルフクラブを選定するに際して、使用するプレーヤの条件（ヘッドスピード、平均飛距離、ハンデキャップ、経験年数など）に合わせてシャフトの長さ、硬さ、ロフト角、ヘッドの重量など選定する。
【００４６】
−第２行程−
前記ゴルフクラブのシャフトの長さの中間位置の表面に、仮の調整体を固定する。この仮の調整体は、調整体と同じ長さのものを半割りとしたものであり、内面に薄いゴムの層が設けており、この調整体をシャフトの中間位置に嵌合し、外側にテープを巻いて固定する。
【００４７】
−第３行程−
前記仮の調整体を固定したゴルフクラブを使用して前記プレーヤーによって打球させ、ボールのの飛行距離と飛行方向を確認し、前記仮の調整体位置、あるいは調整体の位置と調整体自体の長さを調整する。
【００４８】
−第４行程−
前記仮の調整体の寸法と取り付けた位置を目安として調整体を選定する。
【００４９】
−第５行程−
前記選定した調整体を前記カーボンシャフト内に挿入して固定する。この作業は、調整体を固定する場所より高い位置で止まるようなものを選定する。そして図５、図６及び図７に示す回転具や工具を使用して調整体を固定する。そしてこのゴルフクラブを使用するプレーヤーによって打球させ、飛距離と方向性を確認する。そのデータを利用して調整体を前記回転具などを利用してミリ単位で固定する位置を調整する。
【００５０】
本発明は、シャフト１内に調整体５を取り付けてこのシャフト１に局部的に直径を拡開する応力を作用させたり、曲がりを規制することによって、特にカーボンシャフトの「しなり」を調整し、それに伴なってボールの飛距離を伸ばし、正確な方向性を出し、更に打球時の手に対する衝撃を緩和することができるものである。このような効果は、カーボンシャフトで最高に発揮できるが、これに限定されるものではなく、スティールシャフトにも適用可能である。
【００５１】
本発明によるカーボンシャフトのゴルフクラブを使用することによって、従来の調整体を入れたゴルフクラブを使用した場合と比較して２０〜３０ヤード、うまく打球した場合は４０ヤードは長く打つことができる。
【００５２】
そして、調整体を入れた従来のカーボンシャフトのゴルフクラブと、本発明に係るカーボンシャフトにネジ溝付の調整体を挿入、固定したゴルフクラブと比較すると、飛距離は５ヤード程度伸び、しかも打球の方向が正確であり、スイングの若干のミスでも殆ど影響を受けないことが分った。
【００５３】
（第２の実施の形態）
ゴルフクラブＳ（図１）のバランスは、使用するゴルフアーのプレー当日の体調などに対応させることが必要である。例えば、早朝や疲れが出た時などは体が回転がやや円滑性に欠けることもある。このような場合は、通常の打球方向とは異なる方向に打ち出す傾向があり、特にスタートの第一打などが問題である。
【００５４】
そこで、この実施例においては図８に示すようにゴルフクラブＳのグリップ２１の部分にバランス重錘部２０を設けて前記シャフトバランスの補正を行うようにしている。
【００５５】
図８は、図１に示したゴルフクラブＳのシャフト１の上端に形成されている平行パイプ部にバランス重錘部２０を設けた実施例を示している。
【００５６】
シャフト１の上端のグリップ２１を固定している部分１Ｕは、外径が一定ないし一定に近いパイプであり、従って、この部分に円筒状の物体を収容できる空間がある。本発明に係るバランス重錘部２０は、図９に示すようにアルミなどの金属パイプや合成樹脂製のパイプをガイド筒２２とし、このガイド筒２２の長手方向に複数個のストッパ孔２３を所定の間隔で配置すると共に、このストッパ孔２３に対面する位置にガイドレール２４を形成している。
【００５７】
そして錘体２５（ウエイト）を前記ガイド筒２２内に移動可能に嵌入している。この錘体２５の中央部で、かつに軸線に直交する方向に孔２６をあけ、その中にスプリング２７とボール２８（止め部材、円錐形や角錐形など他の形式のものであっても良い）を挿入し、更に孔２６の口部にポンチで突出部を形成してボール２８が飛び出さないようにしている。
【００５８】
また、この錘体２５の上端部の中央にはネジ孔３０を設けている。そして前記錘体２５の移動は、グリップ２（図８）の上端部に設けたマーカー用の孔２９より操作棒３１を挿入し、先端のネジ部３１ａを錘体２５の端部の中央に形成したネジ孔３０と螺合させ、この操作棒３１を上下させ、ボール２８がストッパ孔２３にカチカチと嵌合する位置を確認しながら、この錘体２５を所定の位置に固定することができる。
【００５９】
このバランス重錘部２０は、図８に示すように外周部に接着テープあるいは薄いゴム層３３を形成してシャフト１の上端の平行部内に固定している。また、ガイド筒２２の下端を位置決めするためにシャフト１のグリップ２１の内側にストッパ３４を接着してバランス重錘部２０がシャフト１内に落ち込まないようにしている。
【００６０】
前記のようにグリップ２の部分にバランス重錘部２０を設け、更にシャフト１内に図２〜図４に示す調整体５、５Ａを取り付けることによって、シャフト１のしなりに影響を与えて飛距離を伸ばし、方向性を正確に出し、更に打球の際の手に受ける衝撃を緩和することができるものである。
【図面の簡単な説明】
【００６１】
【図１】本発明に係るゴルフクラブの正面図である。
【図２】（Ａ）は、シャフトに内蔵する調整体の正面図、（Ｂ）は同平面図、（Ｃ）は底面図、（Ｄ）調整体の表面に設けた角型の溝部、（Ｅ）と同様な溝部の断面図である。
【図３】調整体を内蔵したシャフトの断面図である。
【図４】（Ａ）は別の調整体の使用前の正面図、（Ｂ）は平面図、（Ｃ）はシャフトに内蔵させた状態の正面図、（Ｄ）は同底面図である。
【図５】調整体と回転工具を示す斜視図である。
【図６】十字ドライバー型の回転工具の斜視図である。
【図７】調整体を引き出すための工具である。
【図８】グリップ部にバランス重錘部を設けたゴルフクラブを示す図である。
【図９】（Ａ）はシャフトとバランス重錘部との関係を示す断面図である。（Ｂ）は重錘部の横断面図である。
【図１０】調整体を入れたシャフトを使用したクラブのしなり状態の説明図である。
【図１１】調整体を入れないシャフトを使用したクラブのしなり状態の説明図である。
【符号の説明】
【００６２】
１  シャフト（カーボン、スティール）
２  グリップ  
３  ヘッド
５  調整体  
５ａ  上端  
５ｂ  下端    
６  スリット
７  スリット                                                                    ８  重なり部
９  ガイド溝
９ａ  溝
９ｂ  小突起
１２，１５  回転工具
１８  引き出し工具
２０  バランス重錘部
２１  グリップ
２２  ガイド溝
２３  ストッパ孔
２４  ガイドレール
２５  錘体
【図１】
2008148792.tif 000003
【図２】
2008148792.tif 000004
【図３】
2008148792.tif 000005
【図４】
2008148792.tif 000006
【図５】
2008148792.tif 000007
【図６】
2008148792.tif 000008
【図７】
2008148792.tif 000009
【図８】
2008148792.tif 000010
【図９】
2008148792.tif 000011
【図１０】
2008148792.tif 000012
【図１１】
2008148792.tif 000013